(57)【特許請求の範囲】
【請求項１】
装置本体または前記装置本体の所定の位置に位置する相手側部品の第一及び第二の位置決め部材をそれぞれ受け付ける第一及び第二の受け付け部と、
前記相手側部品の少なくとも一つが含む案内機構を受け付ける第三の受け付け部と、
を具備する基板本体と、
前記基板本体から供給される電力に基づいて像担持体に所定の電位を与える帯電手段と、
前記像担持体に潜像を形成する潜像形成手段と、
前記基板本体から供給される電力に基づいて前記像担持体が保持する潜像を可視化する現像手段に所定の電力を供給する現像用電源手段と、
を具備し、
前記第三の受け付け部は、前記基板本体において給電ジャンパが延びる方向に開いた開口であり、前記給電ジャンパが延びる方向に平行して長い矩形の開口である画像形成装置。
【請求項２】
前記第一及び第二の受け付け部は、前記相手側部品の第一及び第二の位置決め部材を、それぞれの長さが規定する順に受け付ける請求項１の画像形成装置。
【請求項３】
前記基板本体は、回路基板の重量が前記回路基板の位置決め作業に影響することを抑止するため、前記装置本体または前記装置本体の所定の位置に位置する前記相手側部品の基板支持部と前記基板本体との位置関係を設定するガイド部をさらに具備する請求項１又は２の画像形成装置。
【請求項４】
前記第三の受け付け部は、前記相手側部品の本体部を前記基板本体において平行に位置する前記給電ジャンパが延びる方向に長い矩形の開口であり、前記相手側部品の前記案内機構の導入部を受け付け、引き続き前記案内機構の本体部を受け付ける請求項１〜３のいずれかの画像形成装置。
【請求項５】
装置本体または前記装置本体の所定の位置に位置する相手側部品の第一及び第二の位置決め部材をそれぞれ受け付ける第一及び第二の受け付け部と、
前記相手側部品の少なくとも一つが含む案内機構を受け付ける第三の受け付け部と、
を具備し、
前記第三の受け付け部は、前記基板本体において給電ジャンパが延びる方向に開いた開口であり、前記給電ジャンパが延びる方向に平行して長い矩形の開口である、請求項１〜４のいずれかの画像形成装置に所定の電力を供給する回路基板。
【請求項６】
前記第三の受け付け部は、前記相手側部品の本体部を前記基板本体において平行に位置する前記給電ジャンパが延びる方向に長い矩形の開口であり、前記相手側部品の前記案内機構の導入部を受け付け、引き続き前記案内機構の本体部を受け付ける請求項５の回路基板。
【発明の詳細な説明】
【技術分野】
【０００１】
この発明は、画像形成装置及び回路基板に関する。
【背景技術】
【０００２】
画像光に対応する潜像に顕像化材（現像剤）を供給して可視化した現像剤像を加熱し、現像剤像をシートに固定（熱定着）する画像形成装置がある。
【０００３】
現像剤像をシートに熱定着するためには、多くの電力が必要である。また、潜像を形成するため、潜像を保持する感光体に数百ボルトの電圧を印加する必要である。なお、潜像は、減法混色に従う３つの色成分画像と黒を明確に出力するための黒画像の４色分、用意される。
【０００４】
４色分の潜像を形成するために、例えば高圧トランスを用いる。また、熱定着に用いる定着装置は、大きな電流容量を許容する接点を含む回路部品を用いる。なお、今日、配線材（電線）やコネクタ（接続部材）を削減する要求に従い、接点の電気的接続に、接点と相手側部品の端子もしくは接点とを直接接触する接触接続も用いられる。
【先行技術文献】
【特許文献】
【０００５】
【特許文献１】特開２００２−１５８４０８号公報
【発明の概要】
【発明が解決しようとする課題】
【０００６】
高圧トランスや回路部品を保持する回路基板は重量があるため、組み付け作業時の作業者の負担が少なくない。特に回路基板を画像形成装置もしくは別の基板に組み付ける作業においては、重量の影響により、取り付け位置と回路基板とを位置合わせする際の負担が大きい。また、回路基板の組み付け時には、位置合わせに加え、接点と相手側部品の端子もしくは接点との確実な接触接続を実現する必要がある。
【０００７】
本発明の目的は、接触接続を含む回路基板の確実な組み付け及び接点と相手側部品の端子もしくは接点との確実な接触接続を実現する回路基板およびその回路基板を有する画像形成装置を提供することである。
【課題を解決するための手段】
【０００８】
実施形態の画像形成装置は、基板本体と、帯電手段と、潜像形成手段と、現像用電源手段と、を具備する。基板本体は、装置本体または前記装置本体の所定の位置に位置する相手側部品の第一及び第二の位置決め部材をそれぞれ受け付ける第一及び第二の受け付け部と、前記相手側部品の少なくとも一つが含む案内機構を受け付ける第三の受け付け部と、を具備する。帯電手段は、前記基板本体から供給される電力に基づいて像担持体に所定の電位を与える。潜像形成手段は、前記像担持体に潜像を形成する。現像用電源手段は、前記基板本体から供給される電力に基づいて前記像担持体が保持する潜像を可視化する現像手段に所定の電力を供給する。
【図面の簡単な説明】
【０００９】
【図１】実施形態の画像形成装置の一例を示す。
【図２】実施形態の画像形成装置の一例（制御ブロック）を示す。
【図３】実施形態の画像形成装置の一例（回路基板）を示す。
【図４】実施形態の画像形成装置の一例（回路基板支持部）を示す。
【図５】実施形態の画像形成装置の一例（位置決め構造）を示す。
【図６】実施形態の画像形成装置の一例（回路基板保持部）を示す。
【図７】実施形態の画像形成装置の一例（接触接続構造）を示す。
【図８】実施形態の画像形成装置の一例（接触接続構造）を示す。
【発明を実施するための形態】
【００１０】
以下、実施の形態について図面を参照して説明する。
【００１１】
図１に示す画像形成装置（マルチファンクショナルプリフェラル、ＭＦＰ（multi-function peripherals）、以下、単にＭＦＰと称する）１は、画像形成部３、画像読取部５及び信号処理／動作制御部（回路基板部）７を、少なくとも有する。なお、ＭＦＰ１の所定の位置に、操作部（表示パネル）９が位置する。
【００１２】
画像形成部３は、紙や樹脂シートであるシートに、画像データに対応する可視像を形成する。画像データは、例えば画像読取部５が生成するデータであってもよいし外部からのデータであってもよい。外部からのデータは、半導体メモリ等の記憶（可搬）媒体が供給するデータであってもよいしネットワーク上の供給元がインタフェース７１（図２参照）経由で供給するデータであってもよい。
【００１３】
画像読取部５は、読取対象物の文字や画像を、光の明暗として取得し、明暗に対応する画像データを生成する。
【００１４】
画像読取部５は，原稿テーブル（原稿ガラス）５ａと、照明装置と、画像センサとを、少なくとも含む。画像センサは、照明装置が出力する照明光を、原稿テーブル５ａが支持する原稿（読取対象）が反射する反射光（画像情報）を画像信号に変換する。画像センサは、例えばＣＣＤセンサあるいはＣＭＯＳ（Complementary metal-oxide Semiconductor）センサである。
【００１５】
信号処理／動作制御部７は、画像読取部５が生成する画像信号を、画像形成部３による画像形成に適した画像データに変換する。信号処理／動作制御部７は、図２に一例を示す通り、画像センサからの画像信号に対し、出力画像（プリントアウト）のために、例えば文字特定、輪郭補正、色調補正（色変換、ＲＧＢ→ＣＭＹ、濃度）、中間調（階調）、γ特性（入力濃度値対出力濃度）、等の所定の処理を施す。画像信号及び画像データは、図示しない記憶装置、例えばハードディスクドライブ（ＨＤＤ、Hard Disk Drive）や、ＭＦＰ１から取り出し可能な半導体メモリ等が記憶する。
【００１６】
画像形成部３は、第１〜第４の単色画像形成ステーション（可視像形成部）３０ａ，３０ｂ，３０ｃ及び３０ｄ、第１〜第４の感光体ドラム（像担持体）３１ａ，３１ｂ，３１ｃ及び３１ｄ、第１〜第４の帯電装置３２ａ，３２ｂ，３２ｃ及び３２ｄ、及び第１〜第４の露光装置３３ａ，３３ｂ，３３ｃ及び３３ｄを、等を有する。
【００１７】
画像形成部３はまた、中間転写ベルト（可視像保持（１次転写）部）３４、シート転写装置（２次転写部）３５、第１〜第４の廃トナー収集機構３６ａ，３６ｂ，３６ｃ及び３６ｄ、中間転写ベルトクリーナ３７、廃トナー回収装置３８、及び定着装置４０、等を有する。
【００１８】
個々の感光体ドラム３１ａ，３１ｂ，３１ｃ及び３１ｄは、それぞれ、自身が保持する電位の画像光の強度に応じた変化を、潜像として保持する。個々の露光装置３３ａ，３３ｂ，３３ｃ及び３３ｄは、それぞれ、例えばＬＥＤヘッド（ＬＥＤ素子列）を含み、信号処理／動作制御部７の画像処理部７３からの画像データを光の強弱に変換した画像光を出力する。すなわち、それぞれの画像形成ステーション３０ａ，３０ｂ，３０ｃ及び３０ｄの感光体ドラム３１ａ，３１ｂ，３１ｃ及び３１ｄの電位がＬＥＤヘッドからの画像光の強度に応じて変化し、その電位差が、潜像（静電像）となる。
【００１９】
このようにして、個々の画像形成ステーション３０ａ，３０ｂ，３０ｃ及び３０ｄは、露光装置３３ａ，３３ｂ，３３ｃ及び３３ｄからの画像光に対応する潜像を対応する感光体ドラム３１ａ，３１ｂ，３１ｃ及び３１ｄのそれぞれに形成し、色成分毎の現像装置で可視化して、可視化像を、中間転写ベルト３４に移動（転写）する。
【００２０】
個々の画像形成ステーション３０ａ，３０ｂ，３０ｃ及び３０ｄは、それぞれ、Ｃ（シアン、cyan），Ｍ（マゼンタ、magenta），Ｙ（イエロ、yellow），Ｋ（黒（ブラック）、black）のそれぞれの色の可視像を形成する。現像装置は、個々の感光体ドラム３１ａ，３１ｂ，３１ｃ及び３１ｄが保持する上述の潜像にトナーを供給して現像する。転写装置は、個々の感光体ドラム３１ａ，３１ｂ，３１ｃ及び３１ｄが保持するトナー像（可視像）を、中間転写ベルト３４に移動する。
【００２１】
なお、各画像形成ステーション３０ａ，３０ｂ，３０ｃ及び３０ｄの配列（位置）すなわち色の順は、画像形成プロセスやトナーの特性に応じて決定する。
【００２２】
中間転写ベルト３４は、個々のステーション３０ａ，３０ｂ，３０ｃ及び３０ｄが形成するトナー像（可視像）を保持し、搬送する。
【００２３】
シート転写装置３５は、中間転写ベルト３４が搬送するトナー像を、シート（用紙）に移動する。
【００２４】
定着装置４０は、シート転写装置３５により中間転写ベルト３４からシートに移動したトナーすなわちトナー像をシートに固定（定着）する。
【００２５】
廃トナー収集機構３６は、それぞれのステーション３０ａ，３０ｂ，３０ｃ及び３０ｄの転写装置（１次転写部）の近傍においてクリーナが除去した感光体ドラムから中間転写ベルト３４に移動することなく（個々の感光体ドラムに）残った転写残りトナー（余剰なトナー）を、廃トナー回収装置３８が回収（保持）可能に収集する。
【００２６】
中間転写ベルトクリーナ３７は、シート転写装置（２次転写部）３５の近傍において、中間転写ベルト３４からシートに移動することなく中間転写ベルト３４に残った転写残り（余剰な）トナーを、廃トナー回収装置３８が回収（保持）可能に収集する。
【００２７】
廃トナー回収装置３８は、廃トナー収集機構３６が収集した転写残りトナー、及び中間転写ベルトクリーナ３７が収集した転写残りトナーを回収する。
【００２８】
画像形成部３はまた、自動両面ユニット（ＡＤＵ、Automatically Duplex Unit）４１、少なくとも１つのシートカセット４２及びシートカセット毎に付属する給紙機構４３、搬送機構４４及びアライニング機構４５を含む。なお、アライニング機構４５の前段に、手差しトレイ４６及び手差しトレイに付属する給紙機構４７が位置する。また、シートカセット４２は、複数段、重ねて利用可能である。
【００２９】
個々の画像形成ステーション３０ａ，３０ｂ，３０ｃ及び３０ｄにおける画像形成動作に対応する所定タイミングで、給紙機構４２が用紙カセット４２からシートを引き出す。用紙カセット４２からのシートは、搬送機構４４が中間転写ベルト３４とシート転写装置３５とが接する転写位置に（シートを）移動する。シートが転写位置（中間転写ベルト３４とシート転写装置３５とが接する位置）に移動するタイミングは、アライニング機構４５が個々の画像形成ステーション３０ａ，３０ｂ，３０ｃ及び３０ｄにおける画像形成動作に対応して設定する。
【００３０】
定着装置４０は、シート及びシートに静電的に付着した状態のトナーを加熱し、圧力を与え、トナーをシートに固定する。
【００３１】
定着装置４０が定着するトナー（トナー像）を保持したシートは、出力画像（プリントアウト）として、画像読取部５と画像形成部３との間の空間、もしくはＡＤＵ（自動両面ユニット）４１へ移動する。
【００３２】
ＡＤＵ４１は、第１の面にトナー像が密着したシートの第１の面の背面となる第２面にトナーが移動可能にシートの表裏を反転し、表裏が反転したシートを、アライニング機構４５に移動（位置）する。
【００３３】
信号処理／動作制御部７は、図２に一例を示すが、画像入力部（入力インタフェース）７１、画像処理部７３、変調回路（露光信号生成部）７５、ＣＰＵ（Central Processing Unit、主制御装置）７７、画像検出回路（露光タイミング検出部）７９、等を含む。
【００３４】
入力インタフェース７１は、例えばパーソナルコンピュータ（ＰＣ、Personal Computer）等の外部装置から、あるいはネットワーク等を経由して供給される画像データを受けつける。
【００３５】
画像処理部７３は、画像読取部５が生成した画像信号あるいは入力インタフェース７１からの画像データに、上述の、文字特定、輪郭補正、色調補正、γ特性、等について所定の処理を行う。
【００３６】
露光信号生成部７５は、画像処理部７３が処理した画像データを、第１〜第４の露光装置３３ａ，３３ｂ，３３ｃ及び３３ｄによる露光光として用いるための変調信号（露光信号）に変換する。
【００３７】
ＣＰＵ（主制御装置）７７は、画像処理部７３内の画像データの処理を制御する。
【００３８】
画像検出回路（露光タイミング検出部）７９は、画像センサ３９の出力に基づいて、各画像形成ステーション３０ａ，３０ｂ，３０ｃ及び３０ｄにおいて形成する各色の画像の傾き（すなわち露光タイミングとして管理できる）を検出する。
【００３９】
信号処理／動作制御部７はまた、画像処理部７３（ＣＰＵ７７）、画像形成部３及び画像読取部５からなるＭＦＰ１の全体の動作を制御する主制御装置（ＭＰＵ、Main Processing Unit）１０１との間で、制御信号を受け渡し、画像読取動作、画像形成動作、等、を制御する。
【００４０】
ＭＰＵ１０１は、ＭＦＰ１に対する指示（操作）入力を受けつけるコントロールパネル（操作部）９からの制御入力に従い、ＭＦＰ１の各部（要素）を制御する。
【００４１】
ＭＰＵ１０１はまた、画像形成部３の以下に説明する各要素、例えば帯電装置向けの高圧トランス等に、所定の電圧を供給する。ＭＰＵ１０１は、例えば個々の帯電装置３２ａ，３２ｂ，３２ｃ及び３２ｄが所定の電圧を出力するよう、それぞれに所定の電圧及び電流を供給する帯電用電源装置（高圧ユニット）１８１ａ，１８１ｂ，１８１ｃ及び１８１ｄの出力を制御する。また、ＭＰＵ１０１は、個々の感光体ドラム３１ａ，３１ｂ，３１ｃ及び３１ｄが保持する潜像を現像（可視化）する現像装置のそれぞれが所定の電圧を出力するよう、それぞれに所定の電圧及び電流を供給する現像用電源装置（現像バイアスユニット／バイアス電源）１８３ａ，１８３ｂ，１８３ｃ及び１８３ｄの出力を制御する。
【００４２】
操作部９は、表示部９ａを有する。表示部９ａは、例えば文字列あるいは記号（ピクトグラム、pictogram／アイコン、icon）等として知られている表示（ユーザインタフェース）により、ＭＦＰ１の各部の状態等を表示する。表示部９ａはまた、タッチパネルとしても機能し、ユーザからの指示（制御）入力の受けつけ及び受けつけた入力の表示及びＭＰＵ１０１の制御に従う、上記表示等を表示する。
【００４３】
信号処理／動作制御部７はまた、ＲＯＭ（Read Only Memory、読み出し専用（プログラム）メモリ）１１１、ＲＡＭ（Random Access Memory、ランダムアクセスメモリ）１１３、ＮＶＭ（Non-volatile Memory、不揮発性メモリ）１１５、画像処理部７３における画像処理に用いるページメモリ（ワークメモリ）１１７、及び各部のセンサからの出力等をＭＰＵ１０１に入力するＩ／Ｏポート１１９、等を含む。
【００４４】
ＭＰＵ１０１は、任意のモータ１３１，１３４，・・・，１３９の回転を制御するモータドライバ１２１と接続する。モータ１３１は、例えば第１〜第４の画像形成ステーション３０ａ，３０ｂ，３０ｃ及び３０ｄ及び中間転写ベルト３４等を駆動する。モータ１３４は、シートの搬送に関わるカセットから定着装置４０（ＡＤＵ４１）までの間の要素、例えば給紙機構４２、搬送機構４４、アライニング機構４５及びシート転写装置３５、等を駆動する。なお、定着装置４０は、独立に、例えばモータ１３９が駆動する。
【００４５】
ＭＰＵ１０１はまた、定着装置４０の温度を設定するヒータを駆動するヒータ制御装置１２３と接続する。
【００４６】
図３は、例えば感光体ドラム３１ａ，３１ｂ，３１ｃ及び３１ｄが保持する潜像を現像（可視化）する現像装置のそれぞれに所定の電圧及び電流を供給する現像用電源装置（現像バイアスユニット）１８３ａ，１８３ｂ，１８３ｃ及び１８３ｄ、及び感光体ドラムを所定の電位に帯電する帯電装置３２ａ，３２ｂ，３２ｃ及び３２ｄに所定の電圧及び電流を供給する高圧ユニット１８１ａ，１８１ｂ，１８１ｃ及び１８２ｄ、等を含む回路基板の要部を示す。
【００４７】
回路基板２０１は、予め半田付け等により所定の位置に固定した給電ジャンパあるいは接続端子または給電部材２１１を有する。給電ジャンパや接続端子または給電部材２１１は、相手側機器または端子と所定圧力で接触する接触接続により、電気的な導通を可能とする。
【００４８】
回路基板２０１はまた、例えば抵抗やコンデンサ、あるいはトランジスタ等の回路基板２０１に固定される電子部品を保持する（予め半田付け等により固定されている）。
【００４９】
回路基板２０１にはさらに、図３に概略を示した帯電装置３２ａ，３２ｂ，３２ｃ及び３２ｄの接点（接続端）と接して接触接続する高圧ユニット（１８１ａ〜ｄ）またはその接続端２８１ａ〜２８１ｄや、現像装置と接続する現像用電源装置（１８３ａ〜ｄ）またはその接続端２８２ａ，２８２ｂ，２８２ｃ及び２８２ｄを保持する。高圧ユニット（１８１）またはその接続端２８１ａ〜２８１ｄや現像用電源装置（１８３ａ〜ｄ）またはその接続端２８２ａ，２８２ｂ，２８２ｃ及び２８２ｄは、半田付け等により、回路基板２０１と一体化されている。
【００５０】
また、回路基板２０１は、ＭＦＰ１本体あるいは接続のための補助部品または別の回路基板、等が保持する相手側ガイドピン（位置決めボス）との間で位置決めを行うガイド穴（位置決め穴）２０１Ａ、２０１Ｂ及び２０１Ｃを含む。
【００５１】
個々のガイド穴２０１Ａ、２０１Ｂ及び２０１Ｃは、形状（直径または対角線長さ及びその本数）及び長さが異なり、ＭＦＰ１本体あるいは接続のための補助部品もしくは別の回路基板（以下、相手側部品と称する）と回路基板２０１との固定の際に、取り付け位置及び方向の間違いを防止する。なお、ガイド穴（及びガイドピン）の種類は、４種類以上であってもよい。
【００５２】
回路基板２０１はまた、図４に一例を示すように、基板支持部１ａと回路基板２０１との位置関係を、（回路基板２０１の）自重による重力方向の移動を用いて容易に位置決めすることが可能な装着ガイド２０２を有する。なお、基板支持部１ａは、接触による接触接続により電気的に接続する相手側部品の所定の位置に位置する。装着ガイド２０２は、回路基板２０１を相手側部品の所定位置に取り付ける取り付け作業時に、基板支持部１ａに沿う回路基板２０１の自重を利用した仮固定（仮の位置決め）を容易とする。
【００５３】
換言すると、装着ガイド２０２を基板支持部１ａに位置することにより回路基板２０１の重量が重力方向に作用し、基板支持部１ａへの仮固定を実現する。この仮固定により、回路基板２０１の重量が（回路基板２０１の）位置決め作業に影響することを抑止でき、作業性を向上できる。
【００５４】
なお、装着ガイド２０２は、回路基板２０１の基板面と直交する方向（基板支持部１ａが延びる方向に対して平行な方向）から見た状態の形状が、例えば台形あるいは三角形もしくは頂部が重力方向と逆向きに規定される多角形あるいはその多角形を任意の位置で切断した複数の直線の組み合わせ、等の形状を有する。装着ガイド２０２はまた、円弧の曲線部分の概ね中央が重力方向と逆向きに規定される曲線あるいはその組み合わせ、もしくは楕円及び任意の位置で切断した楕円、等であってもよい。
【００５５】
個々の位置決めボス（ガイドピン）は、図５に示す通り、対応するガイド穴２０１Ａ、２０１Ｂ及び２０１Ｃに、所定の順で嵌合するよう、それぞれ異なる長さを有する。図５に示す例では、ガイド穴２０１Ａに対応する位置決めボス１１Ａの長さがもっとも長く、ガイド穴２０１Ｂに対応する位置決めボス１１Ｂ及びガイド穴２０１Ｃに対応する位置決めボス１１Ｃの順に、長さが短くなるよう組み合わせている。また、それぞれの位置決めボスの外径が異なる。
【００５６】
図５に示す例では、初めに、回路基板２０１のガイド穴２０１Ａに位置決めボス１１Ａが接触し、ガイド穴２０１Ａと嵌合する。続いて、回路基板２０１のガイド穴２０１Ｂに位置決めボス１１Ｂが接触し、ガイド穴２０１Ｂと嵌合する。なお、回路基板２０１は、図４に示す装着ガイド２０２により、基板支持部１ａに沿う重力方向への移動により、仮固定されているので、作業者は、ガイド穴と位置決めボスとの位置合わせに注力できる。
【００５７】
回路基板２０１をさらに、相手側部品側へ押し付ける（移動する）と、ガイド穴２０１Ｃに位置決めボス１１Ｃが接触し、ガイド穴２０１Ｃと嵌合する。
【００５８】
すなわち、回路基板２０１は、個々の位置決めボス１１Ａ、１１Ｂ及び１１Ｃの長さに従い、位置決めボス１１Ａ、１１Ｂ及び１１Ｃと順に、接する。従い、回路基板２０１と接触する接触接続により電気的に接続する相手側部品の接点、例えばスプリング部α及びスプリング部βとの間の位置がずれることが抑止できる。これにより、回路基板２０１が保持する給電ジャンパや接続端子または給電部材２１１とスプリング部α及びスプリング部βとが正確に位置決めされた状態で、接触する。これにより、固定のためのネジ位置も所定の位置となり、組立効率も向上する。
【００５９】
なお、個々の位置決めボス１１Ａ、１１Ｂ及び１１Ｃは、図６（ａ）及び図６（ｂ）に示す通り、先端部の所定の位置がガイド穴２０１Ａ、２０１Ｂ及び２０１Ｃを通り抜けた位置で、回路基板２０１の面方向に広がるロック部（サポート機構）１１−１を有する。ロック部１１−１は、先端部１１−２からロック部１１−１に向う所定の広がりを呈する弾性部１１−３と回路基板２０１の移動区間、すなわち弾性部１１−３がガイド穴２０１（Ａ〜Ｃ）を通過するあいだ中、弾性部１１−３の（広がりを呈した状態の）外径を低減するスリット部１１−４とを有する。
【００６０】
すなわち、ロック部１１−１に位置した回路基板２０１は、位置決めボス１１Ａ、１１Ｂ及び１１Ｃのそれぞれと対応するガイド穴２０１（Ａ〜Ｃ）との間の嵌め合い（接続）が外れる（解放状態となる）ことが抑止される。これにより、回路基板２０１は、個々の位置決めボス１１Ａ、１１Ｂ及び１１Ｃの所定の位置でとどまる。従い、回路基板２０１に、相手側部品から遠のく方向の力が作用した場合であっても、回路基板２０１は、所定の位置に位置する。なお、ロック部１１−１は、弾性部１１−３をスリット部１１−４に副わせる、例えば円筒状部材をロック部１１−１近傍まで挿入することで、弾性部１１−３の広がりが解消可能で、回路基板２０１の交換時、等において作業性を低下することがない。
【００６１】
図７（ａ）及び図７（ｂ）及び図８は、回路基板と接触接続する相手側部品の接点であるスプリング部と回路基板が保持する給電ジャンパや接続端子または給電部材とを、より正確に接触接続する案内機構及び回路基板側の受け入れ部の構造の一例を示す。なお、以降、スプリング部αを代表して示す。
【００６２】
スプリング部αに近接する案内機構α−１は、スプリング部αの内径よりも短い２本の対角線が規定する矩形状の本体部α−１１及び本体部α−１１から延びる導入部α−１２を有する。案内機構α−１は、スプリング部αの基部と実質的に等しい位置で相手側部品の所定の位置に位置する。回路基板２０１の受け入れ部２０３は、案内機構α−１の本体部α−１１に比較して、僅かに大きな矩形状の開口である。なお、矩形状の開口の長辺方向を給電ジャンパ２１１が延びる方向と平行とし、スプリング部αと給電ジャンパ２１１との確実な接触接続を確保している。
【００６３】
案内機構α−１の導入部α−１２は、図８に一例を示す通り、例えば本体部α−１１の矩形状の断面を楕円状の円錐形状（円錐台）に変換する。なお、楕円状の円錐形状は一例であり、矩形状の二辺の厚さを次第に減少した楔状、あるいは矩形状の断面の面積を連続して減少した錐台状、等、本体部α−１１の断面積に比較して断面積が小さい任意の形状を用いることができる。
【００６４】
個々の位置決めボス１１Ａ、１１Ｂ及び１１Ｃの長さに従い、回路基板２０１が相手側部品の所定の位置まで移動することで、回路基板２０１側の受け入れ部２０３は、導入部α−１２を受け入れる。回路基板２０１側がさらに移動することにより、案内機構α−１の本体部α−１１が回路基板２０１側の受け入れ部２０３内に位置する。これにより、案内機構α−１は、給電ジャンパや接続端子または給電部材２１１と確実に接触接続するよう、スプリング部αを案内する。すなわち、案内機構α−１及び回路基板２０１側の受け入れ部２０３は、スプリング部αが、例えば揺らぎ、もしくは傾き、あるいは変形した状態で、給電ジャンパや接続端子または給電部材２１１に接すること防止できる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…ＭＦＰ（画像形成装置）、１ａ…基板支持部、３…画像形成部、７…制御（信号処理／動作制御）部、９…操作部、９ａ…表示部、１１Ａ、１１Ｂ及び１１Ｃ…ガイドピン（位置決めボス）、３０ａ，３０ｂ，３０ｃ及び３０ｄ…単色画像形成ステーション（可視像形成部）、３１ａ，３１ｂ，３１ｃ及び３１ｄ…像担持体（感光体ドラム）、３３ａ，３３ｂ，３３ｃ及び３３ｄ…露光装置（ＬＥＤヘッド）、３４…中間転写ベルト、３５…シート転写装置、４０…定着装置、３９…画像センサ、４１…自動両面ユニット、４５…アライニング機構、７５…変調回路、７７…ＣＰＵ、７９…画像検出回路、１０１…ＭＰＵ（主制御装置）、１８１ａ，１８１ｂ，１８１ｃ及び１８１ｄ…帯電用電源装置（高圧ユニット）、１８３ａ，１８３ｂ，１８３ｃ及び１８３ｄ…現像用電源装置（現像バイアスユニット／バイアス電源）、２０１…回路基板、２０１Ａ、２０１Ｂ及び２０１Ｃ…ガイド穴（位置決め穴）、２０２…装着ガイド、２０３…受け入れ部、２１１…給電ジャンパ、接続端子、給電部材、２８１ａ，２８１ｂ，２８１ｃ及び２８１ｄ…接続端（高圧ユニット向け）、２８２ａ，２８２ｂ，２８２ｃ及び２８２ｄ…接続端（現像用電源装置向け）。
【図１】
0005707436.tif 000002
【図２】
0005707436.tif 000003
【図３】
0005707436.tif 000004
【図４】
0005707436.tif 000005
【図５】
0005707436.tif 000006
【図６】
0005707436.tif 000007
【図７】
0005707436.tif 000008
【図８】
0005707436.tif 000009